(57)【特許請求の範囲】
【請求項１】
記録および／もしくは再生時の角速度が相違するゾーンを径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、
フレームと、複数のフレームからなるロジカルゾーンとから論理フォーマットを形成し、前記ロジカルゾーンを前記各ゾーンに最大数だけ割り当てた残りの領域に副情報を記録することを特徴し、
前記副情報は、複数のゾーンに分割して記録されていることを特徴とするディスク媒体。
【請求項２】
径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、
フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、
前記副情報は、前記残りの領域を複数ゾーン分だけ寄せ集めて前記一つのブロックを構成し得る場合に、当該複数のゾーンに分散して記録することを特徴とするディスク媒体。
【請求項３】
記録および／もしくは再生時の角速度が相違するゾーンを径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、
フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、
前記副情報は、前記残りの領域を複数ゾーン分だけ寄せ集めて前記一つのブロックを構成し得る場合に、当該複数のゾーンに分散して記録することを特徴とするディスク媒体。
【請求項４】
ディスクの径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、
フレームと、複数のフレームからなるロジカルゾーンとから論理フォーマットを形成し、前記ロジカルゾーンを前記各ゾーンに最大数だけ割り当てた残りの領域に副情報を記録することを特徴とし、
前記副情報は、複数のゾーンに分割して記録されていることを特徴とする情報記録装置。
【請求項５】
記録および／もしくは再生時の角速度が相違するゾーンをディスクの径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、
フレームと、複数のフレームからなるロジカルゾーンとから論理フォーマットを形成し、前記ロジカルゾーンを前記各ゾーンに最大数だけ割り当てた残りの領域に副情報を記録することを特徴し、
前記副情報は、複数のゾーンに分割して記録されていることを特徴とする情報記録装置。
【請求項６】
ディスクの径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、
フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、
副情報は、前記残りの領域を複数ゾーン分だけ寄せ集めて前記一つのブロックを構成し得る場合に、当該複数のゾーンに分散して記録することを特徴とする情報記録装置。
【請求項７】
記録および／もしくは再生時の角速度が相違するゾーンをディスクの径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、
フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、
副情報は、前記残りの領域を複数ゾーン分だけ寄せ集めて前記一つのブロックを構成し得る場合に、当該複数のゾーンに分散して記録することを特徴とする情報記録装置。
【発明の詳細な説明】
【０００１】
【発明の属する技術分野】
本発明は、ディスク媒体、情報記録装置および情報再生装置に関し、特に、セキュリティ情報等を効率よく記録および再生するものである。
【０００２】
【従来の技術】
セキュリティ情報等の副情報をディスクに記録する方法として、従来より種々の方法が提案されている。
【０００３】
例えば、特開昭８−１４７７６７号公報に記載の発明では、スパイラル状の主情報用トラックの間のトラックピッチ領域に、別途セキュリティデータ用のトラックを設け、このセキュリティトラックにセキュリティデータを記録するようにしている。
【０００４】
かかる従来技術によれば、セキュリティデータは主データとは別のトラックに記録されているため、主データ用の記録トラックを再生してデータを他のディスクにコピーしたとしても、セキュリティデータが同時にコピーされることはない。よって、単にセキュリティデータを主データ用トラックに含めておく場合に比べ、セキュリティ能力を高めることができる。
【０００５】
【発明が解決しようとする課題】
しかしながら、かかる従来技術によれば、ディスク上における主データの記録密度が低下するとの問題が生じる。すなわち、セキュリティデータ用トラックを主データトラックの間に配する場合には、主データトラック間に一定の隙間を確保する必要があり、このため主データ用トラックのトラックピッチを小さくできない。よって、主データの記録密度を高めようとしても、限界が生じる。
【０００６】
一方、セキュリティデータは、パスワード等の比較的容量の小さなデータからなるものであるから、上記従来技術のように別途セキュリティデータ用トラックを配するまでもなく記録可能である。
【０００７】
そこで、本発明は、セキュリティデータ等の副情報をディスク上に効率良く記録でき、且つ、副情報をセキュリティ情報とした場合には、セキュリティ能力を高め得るディスク媒体および情報記録装置および情報再生装置を提供せんとするものである。
【０００８】
【課題を解決するための手段】
本発明は、物理フォーマットと論理フォーマットの隙間にセキュリティデータ等の副データを記録するものである。また、セキュリティデータの変調方式を一律とせずに種々の変調方式の中から一の変調方式を設定してセキュリティデータを変調し、これを媒体上に記録するものである。これにより、媒体の記録容量を低減させることなく、副情報を効果的に記録できる。また、セキュリティ情報の変調方式を任意に設定することによって、セキュリティ情報を解読し難くし、媒体のセキュリティ能力を向上せしめるものである。
【０００９】
各請求項に係る本発明の特徴は以下の通りである。
【００１０】
請求項１の発明は、記録および／もしくは再生時の角速度が相違するゾーンを径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、フレームと、複数のフレームからなるロジカルゾーンとから論理フォーマットを形成し、前記ロジカルゾーンを前記各ゾーンに最大数だけ割り当てた残りの領域に副情報を記録することを特徴し、前記副情報は、複数のゾーンに分割して記録されていることを特徴とする。
【００１１】
請求項２の発明は、径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、前記副情報は、前記残りの領域を複数ゾーン分だけ寄せ集めて前記一つのブロックを構成し得る場合に、当該複数のゾーンに分散して記録することを特徴とする。
【００１２】
請求項３の発明は、記録および／もしくは再生時の角速度が相違するゾーンを径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録するディスク媒体であって、フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、前記副情報は、前記残りの領域を複数ゾーン分だけ寄せ集めて前記一つのブロックを構成し得る場合に、当該複数のゾーンに分散して記録することを特徴とする。
【００１３】
請求項４の発明は、ディスクの径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、フレームと、複数のフレームからなるロジカルゾーンとから論理フォーマットを形成し、前記ロジカルゾーンを前記各ゾーンに最大数だけ割り当てた残りの領域に副情報を記録することを特徴とし、前記副情報は、複数のゾーンに分割して記録されていることを特徴とする。
【００１４】
請求項５の発明は、記録および／もしくは再生時の角速度が相違するゾーンをディスクの径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、フレームと、複数のフレームからなるロジカルゾーンとから論理フォーマットを形成し、前記ロジカルゾーンを前記各ゾーンに最大数だけ割り当てた残りの領域に副情報を記録することを特徴し、前記副情報は、複数のゾーンに分割して記録されていることを特徴とする。
【００１５】
請求項６の発明は、ディスクの径方向に複数のゾーンを有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、副情報は、前記残りの領域を複数ゾーン分だけ寄せ集めて前記一つのブロックを構成し得る場合に、当該複数のゾーンに分散して記録することを特徴とする。
【００２０】
請求項７の発明は、記録および／もしくは再生時の角速度が相違するゾーンをディスクの径方向に複数有するようにして物理フォーマットを形成すると共に、前記各ゾーンに所定の論理フォーマットを割り当てることによって主情報を記録し、前記論理フォーマットを割り当てた各ゾーンの残りの領域に副情報を記録することを特徴とする情報記録装置であって、フレームと、複数のフレームからなるブロックと、複数のブロックからなるロジカルゾーンとから論理フォーマットを形成し、前記ロジカルゾーンを前記各ゾーンに最大数だけ割り当てた残りの領域に副情報を記録することを特徴とし、副情報は、前記残りの領域を複数ゾーン分だけ寄せ集めて前記一つのブロックを構成し得る場合に、当該複数のゾーンに分散して記録することを特徴とする。
【００５４】
本発明の特徴は、以下に示す実施の形態の説明により更に明らかとなろう。なお、請求項における「ゾーン」、「フレーム」、「ブロック」、「ロジカルゾーン」および「セキュリティ情報ブロック」は、それぞれ実施の形態において、図１の「ゾーン」、図４の「フレーム」、図５の「ＥＣＣブロック」、「このＥＣＣブロックがｍ個集まったロジカルゾーン」および図６（ａ）の「コードと２つのセキュリティデータからなるブロック」が対応する。
【００５５】
ただし、以下の実施の形態は、あくまでも、本発明の一つの実施形態であって、本発明ないし各構成要件の用語の意義は、以下の実施の形態に記載されたものに制限されるものではない。
【００５６】
【発明の実施の形態】
以下、本発明の実施の形態につき図面を参照して説明する。
【００５７】
まず、図１に実施の形態に係る光磁気ディスクの構造を示す。
【００５８】
ディスクは径方向に１２個のゾーンに分割されている。各ゾーンには角速度一定でデータが記録・再生される。ゾーン毎の角速度はそれぞれ異なっている。各ゾーンの物理フォーマットはゾーン毎の角速度に応じたものとなっている。
【００５９】
図２に、ディスクの物理フォーマットを模式的に示す。ディスクには外周から内周に向かってスパイラル状の溝（グルーブ）が形成されている。かかるグルーブは、全てのゾーンに亘って途切れることなく一連のものとして形成されている。データはこのグルーブ上（あるいは、グルーブと、グルーブ間のランドの両方）に光磁気的に記録される。
【００６０】
かかるグルーブ（あるいはグルーブとグルーブ間のランドの両方）上にはファインクロックマーク（ＦＣＭ）が形成されている。かかるＦＣＭは各ゾーンにおいて径方向に並ぶように配置されている。記録再生時において、上記ＦＣＭをビームが走査すると、サーボ信号上に一定周期のパルスが発生する。かかるパルスは、後述の如く、同期信号として利用される。
【００６１】
ＦＣＭは、上記の通りディスク径方向に一列に並ぶように形成されているが、その配列位置はゾーン毎に相違している。これは、ゾーン毎に角速度が相違することによるものである。各ゾーンにおけるＦＣＭの配列位置は、それぞれのＦＣＭから得られる上記サーボ信号上のパルスの周期が何れのゾーンにおいても同一となるように、各ゾーンの角速度を基にして設定される。これにより、再生時にゾーンを跨ってグルーブを再生しても、ＦＣＭによるパルス（同期信号）が一定周期で発生するようになり、ディスク全体に亘る連続的な記録再生が可能となる。
【００６２】
なお、各ゾーンのＦＣＭの内、所定のＦＣＭは、ディスク全体に亘って一つの径方向に一直線に並ぶように配列される。たとえば図２においては、時計の９時の方向にある径上に、ゾーンｉとゾーンｉ＋１のＦＣＭが一列に配列される。当該９時の方向の径上には、ゾーンｉとゾーンｉ＋１のみならず、ゾーン１〜１２の全てのＦＣＭが一列に配列される。それぞれのゾーンは、当該９時の方向にあるＦＣＭから開始され、所定トラック数分のグルーブをたどり、当該９時の方向にあるＦＣＭで終了する。
【００６３】
このように各ゾーンの開始位置にあるＦＣＭを径方向に一直線に配列したのは、ディスク成形時の便宜によるものである。すなわち、このようにＦＣＭを一列に配すると、ゾーン切替時における角速度の変更タイミングを制御しやすくなる。
【００６４】
さらにグルーブには、ＦＣＭに続いてウォブルが形成されている。図３（ａ）にＦＣＭとウォブルの構造を示す。ウォブルはグルーブの一方の壁面を径方向に蛇行させることによって形成される。かかるウォブルにはアドレス信号が保持されている。したがって、記録再生時にビームがウォブルを走査すると、当該ウォブル波形に応じた信号がサーボ信号より検出される。このウォブル信号を復調することによってアドレスデータが再生される。
【００６５】
次に、上記物理フォーマットのディスクにデータを記録する際のデータフォーマット（論理フォーマット）について説明する。
【００６６】
図４に、１フレームのデータ構造を示す。フレームはアドレスリザーブ領域と、データ信号領域と、誤り訂正信号（ＥＣＣ）領域とから構成されている。１フレームの信号は、隣り合う２つのＦＣＭ間のグルーブに記録される。すなわち、図３（ｂ）を参照して、フレーム中のアドレスリザーブ領域はグルーブ上のウォブルに続く領域に割り当てられ、それに続くグルーブにはデータ信号領域とＥＣＣ信号領域が割り当てられる。このようにして、一つのフレーム信号は、ウォブルから次のＦＣＭまでのグルーブに記録される。
【００６７】
ここで、アドレスリザーブ領域は、上記ウォブルによるアドレスとは別にデータ上の論理アドレスを格納する際に用いられる領域である。通常、かかるアドレスリザーブ領域にはアドレスは格納されておらず、空き領域である。すなわち、かかるアドレスリザーブ領域には、ゼロデータが格納され、これが記録される。
【００６８】
さらに、かかるフレームがｎ個集まって、一つのＥＣＣブロックが構成される。かかるＥＣＣブロックは、誤り訂正の単位となるブロックである。フレーム中の信号は、図４の誤り訂正信号（ＥＣＣ）によって、フレーム毎に誤り訂正がなされる。しかしながら、かかる誤り訂正には能力的な限界があり、フレーム中に一定数以上の誤りビットが生じた場合には誤り訂正を行うことができない。そこで、図５に示すＥＣＣブロックを構成し、誤り訂正能力を高める。
【００６９】
具体的には、１ＥＣＣブロック中に誤り訂正用のデータのみを格納したフレームを含めておき、当該誤り訂正用のフレームによってＥＣＣブロック中の縦方向（図５の矢印Ｂ方向）の信号に誤り訂正を施す。これにより、所定のフレームのＥＣＣ（図５の矢印Ａ方向の誤り訂正）によって誤り訂正が不可能な場合にも、当該フレーム中の数ビットは図５の縦方向の誤り訂正によって訂正され得る。したがって、かかるＡ方向とＢ方向の誤り訂正を所定回数繰り返せば、ＥＣＣブロック中の誤りビットの大半を訂正できる。
【００７０】
さらに、当該ＥＣＣブロックがｍ個集まることによって、論理ゾーン（ロジカルゾーン）が構成される。かかるロジカルゾーンは、データの欠陥を管理するための単位である。すなわち、ロジカルゾーン中に存在するＥＣＣブロックは、データ記録用のＥＣＣブロックと、通常は記録に利用されない予備のＥＣＣブロックに分けられる。そして、データ記録用のＥＣＣブロックの内、所定のＥＣＣブロックに欠陥があり、データの記録再生が不可能であることが検出されると、当該ＥＣＣブロックに替えて、上記予備のＥＣＣブロックが利用される。
【００７１】
かかるロジカルゾーンは、ディスク上に物理フォーマットされた上記各ゾーンにそれぞれ所定の個数だけ存在する。各ゾーンにおけるロジカルゾーンの個数は、各ゾーンに記録され得る総フレーム数（各ゾーンに存在するＦＣＭの個数）を単位ロジカルゾーンのフレーム数で割ることにより求まる。例えば、ゾーンｉの総フレーム数をＦｚｉとすると、当該ゾーンにおけるロジカルゾーンの数Ｎｌｚは、
Ｎｌｚ＝Ｆｚｉ／（ｎ×ｍ）  ・・・（１）
となる。
【００７２】
このように、各ゾーンにおけるロジカルゾーンの個数は上記（１）式にて決まるが、各ゾーンの総フレーム数Ｆｚｉは一定ではなく、このため、ゾーンによっては当該ゾーンの総フレーム数Ｆｚｉが単位ロジカルゾーンのフレーム数（ｎ×ｍ）の整数倍とはならない場合がある。
【００７３】
各ゾーンのフレーム数がロジカルゾーンのフレーム数の整数倍になるように、各ゾーンのフレーム数と単位ロジカルゾーンのフレーム数を設定すれば、各ゾーンの全てのフレームをデータの記録再生用に利用することができるが、上記図２で参照したとおり、各ゾーンの開始位置にあるＦＣＭをディスクの径方向に一直線に配列するよう物理フォーマットを設定した場合、全てのゾーンのフレーム数をロジカルゾーンの整数倍に設定することは困難である。また、物理フォーマットの設定には、当該ロジカルゾーンとの関係のみならず、ディスク成型時、および記録再生時に生ずる様々な物理的要因を考慮する必要もある。このため、全てのゾーンを一律にロジカルゾーンのフレーム数の整数倍となるように設定することは実質的に不可能である。
【００７４】
したがって、ゾーン１〜１２の中には、ロジカルゾーンに割り当てられない物理フォーマットの余りの領域（物理フォーマットを論理フォーマットの間の隙間）が生じるゾーンが存在する。
【００７５】
かかる隙間領域は、ロジカルゾーンとして割り当てられない領域であるから、通常、主データの記録には利用されない。しかしながら、物理フォーマットとしては存在するのであるから、何らかのデータを記録することは可能である。
【００７６】
本実施の形態では、かかる隙間領域にセキュリティデータを記録する。かかる隙間領域は、ロジカルゾーンが割り当てられていないから、通常の再生時には再生スキップされる。したがって、通常の再生モードで再生したデータをそのままコピーしたとしても、当該隙間領域のセキュリティデータがコピーされることはない。また、かかる隙間領域は、ロジカルゾーンが割り当てられない本来的に不要な領域であるから、ここに主データとは別のデータを記録したとしても、主データの記録密度に影響することはない。
【００７７】
さらに、本実施の形態では、かかる隙間領域にセキュリティデータを記録するに際し、セキュリティデータの変調方式を改良している。
【００７８】
図６にセキュリティデータのフォーマットを示す。まず、図６（ａ）を参照して、セキュリティデータブロックは、コードと２つのセキュリティデータからなる。ここで、２つのセキュリティデータは同じ内容のデータであるが、それぞれ変調方式が異なっている。各コードの変調方式はコードによって識別される。
【００７９】
図７はコードと各セキュリティデータの変調方式との関係を示す図である。コードは２ビットで構成され、この内、上位ビットは第１セキュリティデータの変調方式を示し、下位ビットは第２セキュリティデータの変調方式を示す。ビットが０の場合には対応するセキュリティデータはＮＲＺＩＰｌｕｓ（Non-Return-to-Zero-Plus）にて変調される。また、ビットが１の場合には対応するセキュリティデータはＢｉｐｈａｓｅにて変調される。なお、これら各変調方式は周知のものであるので、説明を省略する。
【００８０】
このように、図６（ａ）においては、２つの同一内容のセキュリティデータが、コードによって規定される変調方式によって変調される。ここで、各セキュリティデータが如何なる変調方式にて変調されるかは、記録装置において任意に設定される。例えば、ランダムにコードを発生させるようにしても良いし、当該隙間領域のアドレス値を４で割ってその余りを２ビットの２進数に変換し、これをコードとするようにしても良い。
【００８１】
このようにしてコードが決定されると、コードの各ビットの値に応じて２つのセキュリティデータを変調する。変調された２つのセキュリティデータは、コードと共に、図６（ａ）のフォーマットにて上記物理フォーマットと論理フォーマットの隙間領域に記録される。
【００８２】
図６（ａ）のセキュリティデータとコードは、図４のフレーム中のデータ領域に格納されて、上記隙間領域に記録される。ここで、セキュリティデータとコードはフレーム中のデータ領域の内、所定の領域のみに格納するようにしても良いし、データ領域の全てに繰り返して格納するようにしても良い。あるいは、一つのフレームのみでなく隙間領域中の複数のフレームに亘って格納するようにしても良いし、全ての隙間領域に格納するようにしても良い。
【００８３】
かかる格納方法の内、何れを採用するかは、セキュリティデータの容量とそれ以外に記録されるべき副情報の容量、ならびに当該隙間領域の容量等を比較しながら決定すれば良い。すなわち、隙間領域が大きければ、セキュリティデータとその他の副情報を所定回数繰り返して記録した方が、ドロップアウトによるデータの読み取りエラーを回避し易くなる。また、セキュリティデータ以外の副情報の容量が大きい場合には、セキュリティデータの格納フレームの数を極力抑える必要がある。
【００８４】
なお、上記では、２つのセキュリティデータを同じ内容のものとしたが、異なる内容のものとしても良い。また、図６（ｂ）に示すように、一つのセキュリティデータを前半と後半に分け、それぞれに対して異なる変調を施すようにしても良い。この場合、２ビットのコードの内、上位ビットはセキュリティデータの前半部分の変調方式を規定し、下位ビットは後半部分の変調方式を規定する。したがって、一つのセキュリティデータに対して１つのコードを付することになる。
【００８５】
さらに、上記ではコードを２ビットとしたが、３つのセキュリティデータに対してランダムな変調を施す場合には、コードを３ビットとする。この場合、コードの最上位ビットは、３つのセキュリティデータの内、１番目のセキュリティデータの変調方式を規定し、第２ビットは２番目のセキュリティデータの変調方式を規定し、最下位ビットは３番目のセキュリティデータの変調方式を規定する。また、一つのセキュリティデータを前、中、後の３つにわけ、各部分の変調方式を３ビットのコードにて規定するようにしても良い。
【００８６】
同様に、コードを４ビット以上として、４つ以上のセキュリティデータあるいは１つのセキュリティデータの分割部分に対する変調方式を、当該コードにて規定するようにしても良い。
【００８７】
なお、各変調方式が、上記ＮＲＺＩＰｌｕｓとＢｉｐｈａｓｅに限られるものではないことは言うまでもない。
【００８８】
上記セキュリティデータおよびその他の副情報を図１のゾーン１からゾーン１２までの内、何れのゾーンの隙間領域に記録するかは、それぞれの隙間領域の容量を比較して決定する。１ＥＣＣブロックを超える隙間領域を有するゾーンが存在する場合には、そのゾーンに１ＥＣＣブロック単位でセキュリティデータ等を記録する。これにより、誤り訂正能力が高められ、セキュリティデータを確実に再生できるようになる。また、ＥＣＣブロック単位でデータを処理する主データの再生系をそのまま利用してセキュリティデータ等を処理できるようになる。
【００８９】
隙間領域が１ＥＣＣブロックよりも小さい場合には、複数のゾーンの隙間領域を利用して１ＥＣＣブロックを構成するようにしても良い。例えば、ゾーン１〜３の各ゾーンの隙間領域のフレーム数は１ＥＣＣブロックのフレーム数に満たないが、これらのゾーンのフレーム数を合計すれば１ＥＣＣブロックのフレーム数に達する場合には、これらゾーン１〜３の隙間領域にセキュリティデータとその他の副情報を分割して記録する。その他、１ＥＣＣブロックにてセキュリティデータを管理しない場合には、１ＥＣＣブロックに満たない隙間領域のゾーンにセキュリティデータを記録するようにしてもよい。
【００９０】
次に、上記光磁気ディスクに対しデータを記録・再生する記録再生装置について、図８を参照して説明する。
【００９１】
図において、１は光磁気ディスク、２は記録位置にあるグルーブ上に磁界を印加する磁気ヘッド、３は磁気ヘッド２を駆動する磁気ヘッド駆動回路、４はレーザビームを光磁気ディスクのグルーブに照射すると共にその反射光を受光して再生信号を出力する光ヘッド、５は光ヘッド４の半導体レーザを駆動するレーザ駆動回路、６は駆動信号生成回路である。
【００９２】
ここで、光ヘッド４は半導体レーザ４ａと光検出器４ｂを備え、半導体レーザ４ａからは、記録時に各記録ビットに応じたクロックにてパルスビームが出力される。他方、磁気ヘッド駆動回路３からは、記録信号に応じて磁界変調された磁界が印加される。これにより、グルーブ上には記録信号に応じて磁化された信号が光磁気記録される。
【００９３】
７はコード信号をたとえばＮＲＺＩ（Non Return to Zero Inverse）変調して記録信号（波形信号）を生成する変調回路、８はセキュリティデータをコード化するセキュリティデータエンコーダ、９は記録データをコード化するＥＣＣブロックにコード化するエンコーダである。
【００９４】
ここで、セキュリティデータエンコーダ８にはセキュリティデータが入力され、かかるセキュリティデータは、上記図６（ａ）または（ｂ）にて説明した如くＮＲＺＩＰｌｕｓまたはＢｉｐｈａｓｅにて変調されコード信号を付された後、変調回路７に出力される。また、ＥＣＣエンコーダ９には記録されるべきデータ信号が入力され、上記図５にて示したＥＣＣブロック単位での誤り訂正がなされるようにエンコード処理される。そして、このようにエンコード処理されたセキュリティデータと記録データは、変調回路７にてＮＲＺＩ変調され、記録信号に変換される。
【００９５】
１０は各部を制御する制御回路、１１は光ヘッド４からのビームをフォーカス制御およびトラッキング制御するためのサーボ機構、１２は光磁気ディスク１を回転駆動するスピンドルモータ、１３はサーボ機構１１とスピンドルモータ１２を制御するためのサーボ回路である。
【００９６】
ここで、サーボ回路１３は、再生信号増幅回路１４からのフォーカスエラー信号およびトラッキングエラー信号に応じてサーボ機構を駆動する。また、制御回路１０からの制御信号と再生信号増幅回路１４からのＦＣＭ検出信号に応じて、ゾーン毎に予め設定された角速度となるようにスピンドルモータ１２を回転制御する。
【００９７】
１４は光検出器４ｂからの光再生信号（ＲＦ信号）、光磁気再生信号、フォーカスエラー信号およびトラッキングエラー信号を増幅する再生信号増幅回路である。ここで、これら各信号の生成方法および光検出器４ｂの構成については従来周知であるので説明を省略する。
【００９８】
かかる再生信号増幅回路１４によって増幅された信号の内、光磁気再生信号はバンドパスフィルター１５に出力され、光再生信号は外部同期信号生成回路１９およびサーボ回路１３に出力される。また、フォーカスエラー信号およびトラッキングエラー信号はサーボ回路１３に出力される。
【００９９】
１５は光磁気再生信号のノイズをカットするバンドパスフィルター、１６は記録された磁化信号によって光磁気再生信号上に生じる波形干渉を除去するイコライザ、１７は波形干渉が除去された信号を復号して２値化再生信号を出力するＰＲＭＬ（Partial Response Maximum Likelihood）、１８は光磁気再生信号の内、セキュリティデータ信号を受けてこれをデコードするセキュリティデータデコーダである。
【０１００】
ここで、セキュリティデータデコーダ１８は、図６（ａ）または（ｂ）のフォーマットの光磁気再生信号中のコード信号によって当該セキュリティデータのエンコード方式を検出し、当該エンコード方式に応じてセキュリティデータをデコードする。そして、セキュリティデータデコーダ１８によるデコードがエラーである場合、たとえば、セキュリティデータを適正に検出できなかった場合には、制御回路１０にエラー信号を出力する。制御回路１０はかかるエラー信号を受けて、イコライザ１６およびサーボ回路１３をオフする。これにより、当該光磁気ディスクの再生を中止する。なお、この際、装置のモニター部にエラー表示を行うようにしても良い。あるいは、スピーカからエラー報知を出力するようにしてもよい。
【０１０１】
１９はサーボ信号からＦＣＭ信号を検出し同期信号を生成する外部同期信号生成回路、２０は当該同期信号を遅延せしめる遅延回路である。
【０１０２】
ここで、外部同期信号生成回路１９はＰＬＬ（Phase Locked Loop）と基準クロック発信回路を備え、ＦＣＭ信号に基づいて同期信号を生成する。また、遅延回路２０は、当該同期信号を記録・再生信号の同期タイミングに整合するように遅延させる。
【０１０３】
次に、上記記録再生装置の動作について説明する。
【０１０４】
まず、記録時の動作について説明する。記録指令がなされると、記録データがＥＣＣエンコーダ９において図４および図５のフォーマットに処理され、且つ、ＥＣＣ演算に応じたデータにエンコード処理される。かかる記録データは、次に変調回路７によってＮＲＺＩ変調され駆動信号生成回路６に入力される。駆動信号生成回路６は、外部同期信号生成回路１９および遅延回路２０からの同期信号を参照しながら、変調回路７からの記録信号（波形信号）がグルーブのウォブルの続く領域に光磁気記録されるように磁気ヘッド駆動回路３とレーザ駆動回路５を駆動する。しかして、記録データが上記論理フォーマットに従って所定のゾーンに順次記録される。
【０１０５】
このようにしてデータの記録がなされ、やがて当該ゾーン中の論理ゾーンが記録のために全て使い尽くされると、記録位置は次のゾーンの開始位置にスキップされ、引き続き当該ゾーンにデータの記録がなされる。この際、サーボ回路１３はサーボ機構１１に次のゾーンへのスキップを指令すると共にスピンドルモータ１２に対し次のゾーンの角速度への切替を指令する。かかるゾーンの切替は、一連の記録データの全てが記録されるまで繰り返される。
【０１０６】
そして、記録データの全てが記録されると、次に、セキュリティデータの記録が開始される。かかるセキュリティデータはセキュリティデータエンコーダ８にて上記の通りエンコード処理された後、変調回路７にてＮＲＺＩ変調され、駆動信号生成回路６に入力される。この際、制御回路１０は、サーボ回路１３に対して、セキュリティデータを記録すべきゾーンの上記隙間領域（ロジカルゾーンとして使用されていない領域）に記録位置をアクセスさせるための指令を発する。
【０１０７】
このようにして記録位置が隙間領域にアクセスされた後、駆動信号生成回路６は、磁気ヘッド駆動回路３とレーザ駆動回路５を駆動し、セキュリティデータ信号を当該隙間領域のグルーブ上に記録せしめる。そして、かかるセキュリティデータ信号の記録が終了すると、記録再生装置における記録動作が終了する。
【０１０８】
次に、再生時の動作について説明する。
【０１０９】
所定記録情報に対する再生指令がなされると、制御回路１０は、当該記録情報のセキュリティ情報が記録された上記隙間領域に光ヘッド４をアクセスする指令をサーボ回路１３に発する。かかる指令に応じ光ヘッド４は当該隙間領域にアクセスされ当該領域のグルーブをレーザによって走査する。
【０１１０】
かかる走査によって得られた光検出器４ｂからの信号は、再生信号増幅回路１４からＰＲＭＬ１７までの再生系によって処理され、セキュリティデータデコーダ１８に入力される。セキュリティデータ１８では、かかる再生信号から第６図（ａ）または（ｂ）のコードを検出し、当該コードに応じてセキュリティデータをデコードする。
【０１１１】
ここで、コードによって規定された変調方式とセキュリティデータの変調方式が整合している場合、セキュリティデータはデコードされ、正規のセキュリティデータが再生される。しかしながら、コードの規定する変調方式とセキュリティデータの変調方式が整合しない場合には、当該セキュリティデータデコーダにおいて、正規のセキュリティデータが再生されることはない。
【０１１２】
セキュリティデータデコーダ１８は、正規のセキュリティデータが再生されたか否かを制御回路１０に出力する。ここで、正規のセキュリティデータが再生された場合には、制御回路１０は当該記録情報を再生するべく、サーボ回路１３に対し、当該記録情報のアクセスを指令する。かかる指令に応じ、光ヘッド４は、当該記録情報をディスクから読み出す。このようにして読み出された情報は、再生信号増幅回路１４からＰＲＭＬ回路１７までの再生系によって処理され、図示しないＥＣＣデコーダによってデコードされる。
【０１１３】
一方、セキュリティデータデコーダ１８において正規のセキュリティデータが再生されない場合には、制御回路１０は、イコライザ１６およびサーボ回路１３の動作を停止せしめ、以後の再生を中止させる。同時に、図示しない表示部に対し、エラーメッセージの表示を指示する。
【０１１４】
なお、セキュリティデータ１８において正規のセキュリティデータを再生できたか否かの判断は以下のようにして行う。たとえば、図６（ａ）のように２つの同一内容のセキュリティデータが変調されている場合には、両方のセキュリティデータが再生できた場合に「セキュリティ再生ＯＫ」とする。また、図６（ｂ）のように１つのセキュリティデータが２分割され、それぞれの分割部分に対し所定の変調が施されている場合には、当該一つのセキュリティデータの全体が再生された場合に「セキュリティ再生ＯＫ」とする。
【０１１５】
ただし、図６（ａ）の場合に、何れか一方のセキュリティデータが再生された場合に「セキュリティ再生ＯＫ」としても良い。特に、図６（ａ）のように２つのセキュリティデータではなく３つ以上のセキュリティデータに対し１つのコードを割り当てる場合には、ドロップアウトによるセキュリティデータの再生エラーが生じる確立が高くなるので、３つ以上のセキュリティデータの内、所定数以上のセキュリティデータが再生できたときに「セキュリティ再生ＯＫ」と判断するようにしても良い。
【０１１６】
以上、図８の再生装置においては、主情報の再生時にはセキュリティデータは再生出力されないので、再生動作における再生信号をそのままコピーしたとしても、セキュリティデータをコピーすることはできない。また、セキュリティデータは、コードによって規定された任意の変調方式によって変調されているので、読み取り信号からセキュリティデータを再生することは困難である。したがって、暗号キー等を重要な情報を含むセキュリティ情報をより安全に保護することができる。
【０１１７】
以上、本実施の形態について説明したが、本発明はかかる実施の形態に制限されるものではなく、他に種々の変更が可能である。
【０１１９】
例えば、上記実施の形態では、光磁気ディスクを１２のゾーンに分割して各ゾーンの角速度を変更するようにしたが、ゾーンの分割数および角速度の設定はこれに限定されるものではなく、たとえばゾーンを一つのみとし、これにロジカルゾーンを当てはめた際の隙間領域にセキュリティ情報を記録するようにしても良い。
【０１２０】
また、隙間領域に記録すべき情報は、上記実施の形態の如く、セキュリティ情報等の秘密性の高い情報とするのが良いが、これに制限されるものではなく、その他、通常の制御等の用いられる副情報であっても良い。
【０１２１】
また、物理フォーマットと論理フォーマットは上記実施の形態に示したものに限られず、たとえば、一つのＥＣＣブロックをロジカルゾーンとすることもできるし、ＥＣＣブロックにてＥＣＣを施さない場合には、単に所定数個のフレームにてロジカルゾーンを構成することもできる。
【０１２２】
その他、セキュリティデータの変調方式はＮＲＺＩＰｌｕｓとＢｉｐｈａｓｅの他に種々の変調方式を採用できるし、また、記録媒体も光磁気ディスクのみならず、有機色素材料を用いた追記型あるいは書き換え可能型のディスクや再生専用のディスクとすることもできる。
【０１２３】
本発明の実施の形態は、本発明の技術的思想の範囲内において、適宜、種々の変更が可能である。
【０１２４】
【発明の効果】
以上、本発明によれば、論理フォーマットに使用されない物理フォーマット上の領域に副情報を記録するものであるから、媒体の記録容量を抑制することなく効果的に副情報を記録することができる。
【０１２５】
また、かかる領域は通常の再生時において再生スキップされる領域であるので、再生信号を他の媒体にそのままコピーしても副情報がコピーされることはなく、セキュリティ情報等の秘密性の高い副情報を安全に保護しながら媒体上に記録することができる。
【０１２６】
さらに、副情報の変調方式をコードによって任意に設定するものであるから、一律の変調方式によって変調する場合に比べ、当該副情報のセキュリティ能力を高めることができる。
【０１２７】
かかる隙間領域への記録と変調方式の設定とを組み合わせることによって、セキュリティ能力の極めて高いセキュリティ情報の記録を実現することができる。
【図面の簡単な説明】
【図１】  実施の形態に係る光磁気ディスクの物理フォーマットを示す図
【図２】  実施の形態に係る光磁気ディスクの物理フォーマットを示す図
【図３】  実施の形態に係るグルーブとウォブルの構造を示す図
【図４】  実施の形態に係る論理フォーマット（フレーム）を示す図
【図５】  実施の形態に係る論理フォーマット（ＥＣＣブロック）を示す図
【図６】  実施の形態に係るセキュリティデータのフォーマットを示す図
【図７】  実施の形態に係るセキュリティデータの変調方式を示す図
【図８】  実施の形態に係る記録再生装置のブロック図
【符号の説明】
１  光磁気ディスク
２  磁気ヘッド
４  光ヘッド
７  変調回路
８  セキュリティデータエンコーダ
９  ＥＣＣエンコーダ
１０  制御回路
１８  セキュリティデータデコーダ
【図１】
0003806623.tif 000002
【図２】
0003806623.tif 000003
【図３】
0003806623.tif 000004
【図４】
0003806623.tif 000005
【図５】
0003806623.tif 000006
【図６】
0003806623.tif 000007
【図７】
0003806623.tif 000008
【図８】
0003806623.tif 000009